(57)【要約】【課題】ペーパナイフ付きのペンの提供。【解決手段】ペーパナイフ付きのペンの一種であり、ペン体、ペンキャップ、ペンクリップ及びペンキャップとペンクリップの間に設けられた弾性片を含む組合せ等で構成される。前記弾性片はＵ形を呈し、一端をペンキャップと連結し、他端をペンクリップと連結し、且つそのＵ形開口端は上に向くようにする。これにより、ペンクリップの底端がペンキャップに対して挟み込み力を持つ。その中で、Ｕ形開口端の一端に折り曲がりを設け、またその先端に刃部を設け、前記Ｕ形開口端及び前記刃部を利用し、便利に紙など又は封筒を切断できるペーパナイフ付きのペンである。【選択図】図３
0003119912.tif 000002
【実用新案登録請求の範囲】
【請求項１】
ペーパナイフ付きのペンであって、ペン体、ペンキャップ、ペンクリップ及びペンキャップとペンクリップの間に設けられた弾性片を含み、
前記弾性片はＵ形を呈して、一端がペンキャップと連結して、他端がペンクリップと連結する、前記Ｕ形開口端は上に向くようにし、前記Ｕ形開口端がペンクリップ一端と連結する底端に折り曲がりを設け、またその折り曲がりの先端に刃部を設けることを特徴とする、ペーパナイフ付きのペン。
【請求項２】
前記弾性片は、ペン体とペンクリップの間に連結することを特徴とする請求項１に記載のペーパナイフ付きのペン。
【請求項３】
前記弾性片に複数の錐状連結部が設けられたことを特徴とする請求項１に記載のペーパナイフ付きのペン。
【考案の詳細な説明】
【技術分野】
【０００１】
本考案は、ペーパナイフ付きのペンに関して、特にペンキャップとペンクリップの間に、或いはペン体とペンクリップの間に、Ｕ形開口端が設置され、また前記Ｕ形開口端の一端に刃部の弾性片が設けられ、前記Ｕ形開口端及び前記刃部を利用して、便利に紙など又は封筒を切断できるペーパナイフ付きのペンである。
【背景技術】
【０００２】
一般従来のペンは、キャップを付くか付かないかはともかく、ペンキャップ、或いはペン体に挟み込み力を備えるペンクリップが設置され、そのペンをポケット或いはかばんに挟み、手軽に持ち運ぶことができる。
【０００３】
上記ペンクリップを付きの筆記具は、挟み込むの機能を有する以外、別の機能を備えていない。
【０００４】
また、各種類の文具用品の中で、ペンは主に書き又は絵描きとして用いられ、紙などを切断する必要がある場合には、例えば、封筒を開封すれば、ペーパナイフ或るいははさみなどの別の工具を使用しなければならない。従って、実際使用上に不便利となる。
【０００５】
筆記具が使っていない空間を使用できれば、ペーパナイフの機能を書き又は絵描きとする筆記具に組み合わせ、筆記具は同時に二つの機能を備えることができて、筆記具の実用性と便利性を高める。しかしながら、今までそういう設計が見られない。
【考案の開示】
【考案が解決しようとする課題】
【０００６】
本考案は上記事情に鑑みてなされたものであり、書き及びペーパナイフの二つの機能を備えるペーパナイフ付きのペンを提供する。
【０００７】
即ち、本考案の目的はペンキャップとペンクリップの間に、或いはペン体とペンクリップの間に、Ｕ形開口端が設置され、又は前記Ｕ形開口端の一端に刃部の弾性片が設けられて、前記Ｕ形開口端及び前記刃部を利用して、便利に紙など又は封筒を切断できるペーパナイフ付きのペンを提供する。
【０００８】
上記の目的を達するために、本考案は下記の技術手段を採用する。
【０００９】
本考案は、ペン体、ペンキャップ、ペンクリップ及びペンキャップとペンクリップの間に設けられた弾性片を含む組合せ等で構成される。
【００１０】
前記弾性片はＵ形を呈し、一端がペンキャップと連結し、他端がペンクリップと連結し、且つそのＵ形開口端は上に向くようにする。このＵ形開口端が外へ伸ばした弾性を介して、ペンクリップの底端がペンキャップに対して挟み込み力を持つ。
【００１１】
前記弾性片は、Ｕ形開口端を含み、その一端に折り曲がりを設け、またその先端に刃部を設け、前記Ｕ形開口端及び前記刃部を利用して、便利に紙など又は封筒を切断できる。
【００１２】
上記ペーパナイフ付きのペンは、その組立及び構成が複雑ではないため、筆記具の全体体積或るいは重量を増やすことはない。
【００１３】
実際の製造上、Ｕ形の弾性片は、ペンキャップとペンクリップの間に設けられたため、キャップ付きのペンに適用できる。又は、キャップ付かないペンには、Ｕ形の弾性片をペンキャップとペンクリップの間に連結させることができる。
【００１４】
上記本考案の切断用の刃部は、実際に弾性片のＵ形開口端に隠されたため、ポケット、かばんへのペン挟みに影響を与えなく、更に使用者の手に触れることもない。従って、実際の使用上に安全性を確保できる。
【００１５】
本考案を利用して、同一の筆記具が書き、及びペーパナイフでいう二つの機能を備えることできるため、実用価値に合致できる。
【課題を解決するための手段】
【００１６】
請求項１の考案は、ペーパナイフ付きのペンであって、ペン体、ペンキャップ、ペンクリップ及びペンキャップとペンクリップの間に設けられた弾性片を含み、
前記弾性片はＵ形を呈して、一端がペンキャップと連結して、他端がペンクリップと連結する、前記Ｕ形開口端は上に向くようにし、前記Ｕ形開口端がペンクリップ一端と連結する底端に折り曲がりを設け、またその折り曲がりの先端に刃部を設ける。
請求項２の考案は、前記前記弾性片は、ペン体とペンクリップの間に連結することを特徴とする請求項１に記載のペーパナイフ付きのペンとしている。
請求項３の考案は、前記弾性片に複数の錐状連結部が設けられたことを特徴とする請求項１に記載のペーパナイフ付きのペンとしている。
【考案の効果】
【００１７】
本考案は、ペンキャップとペンクリップの間に、或いは、ペン体とペンクリップの間に、Ｕ形開口端、及び前記Ｕ形開口端の一端に刃部が設けられた弾性片と連結して、そして前記Ｕ形開口端及び刃部を利用して、便利に紙又は封筒を切断できて、ペーパナイフ機能を兼ねる両用ペンを構成し、本考案の予定な目的を達する。
【考案を実施するための最良の形態】
【００１８】
図１、２を示すように、本考案にかかるペーパナイフ付きのペンは、ペン体１０、ペンキャップ１１、ペンクリップ１２及びペンキャップ１１とペンクリップ１２の間に設けられた弾性片２０を含む組合せ等で構成される。
【００１９】
図２、３を示すように、前記前記弾性片２０は、Ｕ形を呈して、一端がペンキャップ１１と連結して、他端がペンクリップ１２と連結して、且つそのＵ形開口端は上に向くようにする。このＵ形開口端が外へ伸ばした弾性を介して、ペンクリップ１２の底端がペンキャップ１１に対して挟み込み力を持つ。
【００２０】
また、前記弾性片２０は、Ｕ形開口端を含み、そのペンクリップ１２と連結した一端に折り曲がりを設け、且つその尖端に刃部２１を設ける。Ｕ形開口端が外へ伸ばした弾性と刃部２１を利用して、紙或るいは封筒をＵ形開口端に置かせて、外へ伸ばした弾性のＵ形開口端に対して圧力を押して、同時に紙或るいは封筒を移動して切断を行う時に、便利に紙など又は封筒を切断できる。図４を参照すること。
【００２１】
また、図２を示すように、前記弾性片２０は、ペンキャップ１１とペンクリップ１２の間に連結して、高周波溶接技術を利用するのが最良である。同時に連結面の固定性を増加するため、弾性片２０に錐状連結部２２が設けられたこともできる。
【００２２】
前記図１乃至図３に示すようなペーパナイフ付きのペンは、本考案がペンキャップ１１付きのペンに応用することを考える。ペンキャップ１１付かないペンに応用する場合、Ｕ形の弾性片２０を直接ペンクリップ１２とペン体１０の間に連結することができる。
【００２３】
上記の記載によって、簡単に本考案の設計特徴を理解できる。ペンキャップとペンクリップの間に、或いは、ペン体とペンクリップの間に、Ｕ形開口端、及び前記Ｕ形開口端の一端に刃部が設けられた弾性片と連結して、そして前記Ｕ形開口端及び刃部を利用して、便利に紙又は封筒を切断できて、ペーパナイフ機能を兼ねる両用ペンを構成し、本考案の予定な目的を達する。
【図面の簡単な説明】
【００２４】
【図１】本考案にかかるペーパナイフ付きのペンの実施例を示す立体図である。
【図２】本考案にかかるペーパナイフ付きのペンの実施例を示す組立分解図である。
【図３】本考案にかかるペーパナイフ付きのペンの実施例を示す断面図である。
【図４】本考案にかかるペーパナイフ付きのペンの実際使用状態を示す図である。
【符号の説明】
【００２５】
１０  ペン体
１１  ペンキャップ
１２  ペンクリップ
２０  弾性片
２１  刃部
２２  連結部
【図１】
0003119912.tif 000003
【図２】
0003119912.tif 000004
【図３】
0003119912.tif 000005
【図４】
0003119912.tif 000006